(57)【要約】【課題】便器本体に下向きに力が加わった場合の便器先端の変位を十分に抑制することができる壁掛便器の取付構造及び壁掛便器を提供する。【解決手段】後ろ壁面ＢＷに固定され垂直方向に延在する縦部材１０と、縦部材１０に連結されるとともに後ろ壁面ＢＷに固定され、水平方向に延在する横部材４０と、後ろ壁面ＢＷから離れた位置で垂直方向に延在し、便器本体１００を床面ＦＬから浮かせた状態で支持する支持部材２０と、水平方向に延在し、支持部材２０の上端と縦部材１０とを連結する連結部材３０と、支持部材２０の下端から後ろ壁面ＢＷに向かって水平方向に延在し、床面ＦＬ上に固定される床受材５０と、を備えたことを特徴とする壁掛便器の取付構造。【選択図】図１
2014095246.tif 000002
【特許請求の範囲】
【請求項１】
後ろ壁面に固定され垂直方向に延在する縦部材と、
前記縦部材に連結されるとともに前記後ろ壁面に固定され、水平方向に延在する横部材と、
前記後ろ壁面から離れた位置で垂直方向に延在し、便器本体を床面から浮かせた状態で支持する支持部材と、
水平方向に延在し、前記縦部材と前記支持部材の上端とを連結する連結部材と、
前記支持部材の下端から前記後ろ壁面に向かって水平方向に延在し、前記支持部材及び前記床面上に固定される床受材と、
を備えたことを特徴とする壁掛便器の取付構造。
【請求項２】
前記床受材は、さらに前記縦部材に固定されることを特徴とする請求項１に記載の壁掛便器の取付構造。
【請求項３】
前記便器本体に加わった下向きの力が、前記支持部材に対する曲げモーメントとして作用する場合に、前記床受材が前記曲げモーメントを受けることを特徴とする請求項１に記載の壁掛便器の取付構造。
【請求項４】
前記支持部材と前記連結部材とは一体的に形成されることを特徴とする請求項１に記載の壁掛便器の取付構造。
【請求項５】
便器本体と、
後ろ壁面に固定され垂直方向に延在する縦部材と、
前記縦部材に連結されるとともに前記後ろ壁面に固定され、水平方向に延在する横部材と、
前記後ろ壁面から離れた位置で垂直方向に延在し、前記便器本体を床面から浮かせた状態で支持する支持部材と、
水平方向に延在し、前記縦部材と前記支持部材の上端とを連結する連結部材と、
前記支持部材の下端から前記後ろ壁面に向かって水平方向に延在し、前記支持部材及び前記床面上に固定される床受材と、
を備えたことを特徴とする壁掛便器。
【発明の詳細な説明】
【技術分野】
【０００１】
本発明は、便器本体を床面から浮かせた状態で取り付ける壁掛便器の取付構造及び壁掛便器に関する。
【背景技術】
【０００２】
腰掛け式便器を住宅のトイレに取り付けるに際して、フレームの横部材を壁裏の補強に対して固定する構造や、部屋隅の柱に対して固定具を釘で固定し、この固定具に対して横部材を固定する構造が知られている（例えば、特許文献１参照）。
【０００３】
特許文献１に記載される取り付け構造においては、壁内部の構造柱である管柱に対して壁内面側から左右の固定具をねじ具等により固定し、この左右の固定具に補強バーを架け渡すように固定している。そして、この補強バーに便器本体を固定している。
【０００４】
一方、便器本体を床面から浮かせた状態で取り付ける壁掛便器においては、便器に座るなどして便器に荷重がかかると、便器が倒れようとしてその力が後ろ壁面に対して垂直方向に作用する。この便器の倒れによる便器先端の沈み込みの大きさは後ろ壁面の強度に依存する。ここで、後ろ壁面の強度は、後ろ壁面の材質や厚み、後ろ壁を支える間柱の有無、寸法、部屋隅の柱の大きさなどに依存する。
【０００５】
しかしながら、リフォームなどでの入れ替え工事の場合、すでに建築構造は完成しているため、間柱の有無、寸法、後ろ壁面の厚さ、強度等は分からず、取り付けようとする部屋によっては、後ろ壁面の変形が過大になるという問題がある。
【０００６】
ここで、後ろ壁面の変形について説明する。
【０００７】
図５は、後ろ壁面の変形について例示する模式的斜視図である。図５（ａ）では、床面ＦＬから立ち上がる後ろ壁面ＢＷが横方向に変形した例を示している。図５（ｂ）では、床面ＦＬから立ち上がる後ろ壁面ＢＷが縦方向に変形した例を示している。
【０００８】
図５（ａ）に示すように、「横方向の変形」とは、後ろ壁面ＢＷが縦軸Ｏｙの周りに湾曲する変形のことをいう。一方、図５（ｂ）に示すように、「縦方向の変形」とは、後ろ壁面ＢＷが横軸Ｏｘの周りに湾曲する変形のことをいう。
【先行技術文献】
【特許文献】
【０００９】
【特許文献１】特開２０００−２７３９３３号公報
【発明の概要】
【発明が解決しようとする課題】
【００１０】
しかしながら、特許文献１に記載の取付構造では、便器本体に下向きに加わる力が後ろ壁に伝わった場合、後ろ壁面の横方向の変形及び縦方向の変形の両方を十分に抑制できなかった。
【００１１】
すなわち、特許文献１に記載の取付構造では、左右の固定具に渡される補強バーによって、後ろ壁面の横方向の変形についてはある程度抑制される。しかし、縦方向の変形については十分に抑制することができず、その結果、便器先端の変位（沈み込み）が大きかった。また、補強バーの固定具を管柱に固定する必要があり、後ろ壁の構造によって施工上の制約を受けることになった。
【００１２】
本発明は、上記のような事情に鑑みてなされたものであって、便器本体に下向きに力が加わった場合の便器先端の変位を十分に抑制することができる壁掛便器の取付構造及び壁掛便器を提供することを目的とする。
【課題を解決するための手段】
【００１３】
上記の目的を達成するために、本発明に係る壁掛便器の取付構造は、後ろ壁面に固定され垂直方向に延在する縦部材と、前記縦部材に連結されるとともに前記後ろ壁面に固定され、水平方向に延在する横部材と、前記後ろ壁面から離れた位置で垂直方向に延在し、便器本体を床面から浮かせた状態で支持する支持部材と、水平方向に延在し、前記縦部材と前記支持部材の上端とを連結する連結部材と、前記支持部材の下端から前記後ろ壁面に向かって水平方向に延在し、前記支持部材及び前記床面上に固定される床受材と、を備えたことを特徴とする。このような構成により、便器本体に下向きの力が加わった場合に、縦部材、横部材、支持部材及び床受材によって後ろ壁面の変形を抑制している。そのため、便器本体に下向きに力が加わった場合の便器先端の変位を十分に抑制することができる。
【００１４】
また、上記の目的を達成するために、前記床受材は、さらに前記縦部材に固定されることを特徴とする。このような構成により、縦部材と支持部材との剛性を向上させつつ、便器本体に下向きに力が加わった場合の便器先端の変位を十分に抑制することができる。
【００１５】
また、上記の目的を達成するために、前記便器本体に加わった下向きの力が、前記支持部材に対する曲げモーメントとして作用する場合に、前記床受材が前記曲げモーメントを受けることを特徴とする。このような構成により、便器本体に下向きの力が加わった場合に、支持部材及び連結部材を介して縦部材に伝わる前方向きの力が支持部材及び床受材によって弱められ、その結果、後ろ壁面の変形を抑制することができる
【００１６】
また、上記の目的を達成するために、前記支持部材と前記連結部材とは一体的に形成されることを特徴とする。このような構成により、少ない部品点数で後ろ壁面の変形を抑制することができる。
【００１７】
また、上記の目的を達成するために、本発明に係る壁掛便器は、便器本体と、後ろ壁面に固定され垂直方向に延在する縦部材と、前記縦部材に連結されるとともに前記後ろ壁面に固定され、水平方向に延在する横部材と、前記後ろ壁面から離れた位置で垂直方向に延在し、前記便器本体を床面から浮かせた状態で支持する支持部材と、水平方向に延在し、前記縦部材と前記支持部材の上端とを連結する連結部材と、前記支持部材の下端から前記後ろ壁面に向かって水平方向に延在し、前記支持部材及び前記床面上に固定される床受材と、を備えたことを特徴とする。このような構成により、便器本体に下向きの力が加わった場合に、縦部材、横部材、支持部材及び床受材によって後ろ壁面の変形を抑制している。そのため、便器本体に下向きに力が加わった場合の便器先端の変位を十分に抑制することができる。
【発明の効果】
【００１８】
本発明によれば、便器本体に下向きに力が加わった場合の便器先端の変位を十分に抑制することができる。
【図面の簡単な説明】
【００１９】
【図１】本発明の一実施形態に係る壁掛便器の取付構造を例示する模式的斜視図である。
【図２】本発明の一実施形態に係る取付構造体を例示する模式的斜視図である。
【図３】本発明の一実施形態に係る壁掛便器の取付構造を例示する模式図である。
【図４】本発明の一実施形態に係る壁掛便器の取付構造を適用した壁掛便器を例示する模式的斜視図である。
【図５】後ろ壁面の変形について例示する模式的斜視図である。
【発明を実施するための形態】
【００２０】
本発明に係る壁掛便器の取付構造は、後ろ壁面に固定され垂直方向に延在する縦部材と、前記縦部材に連結されるとともに前記後ろ壁面に固定され、水平方向に延在する横部材と、前記後ろ壁面から離れた位置で垂直方向に延在し、便器本体を床面から浮かせた状態で支持する支持部材と、水平方向に延在し、前記縦部材と前記支持部材の上端とを連結する連結部材と、前記支持部材の下端から前記後ろ壁面に向かって水平方向に延在し、前記支持部材及び前記床面上に固定される床受材と、を備えたものである。これにより、便器本体に下向きに力が加わった場合の便器先端の変位を十分に抑制するものである。以下、本発明の実施の形態を説明する。
【００２１】
［壁掛便器の取付構造］
図１は、本発明の一実施形態に係る壁掛便器の取付構造を例示する模式的斜視図である。図２は、本発明の一実施形態に係る取付構造体を例示する模式的斜視図である。
【００２２】
図１に示すように、壁掛便器の取付構造は、縦部材１０と、支持部材２０と、連結部材３０と、横部材４０と、床受材５０とを備え、便器本体１００を床面ＦＬから浮かせた状態で支持するものである。
【００２３】
縦部材１０は、垂直方向に延在する例えば角型材（中空または中実）である。縦部材１０には、例えば鋼材が用いられる。図１及び図２に示すように、縦部材１０は、後ろ壁ＢＷに複数の固定部材Ｂ１によって固定される。固定部材Ｂ１としては、例えばボルト及びナットやビスが用いられる。
【００２４】
本実施形態では、２本の縦部材１０が所定の間隔で略平行に設けられている。縦部材１０の上端部１０ａは、２本の横部材４０のうち上側の横部材４０と接続される。一方、縦部材１０の下端部１０ｂは、２本の横部材４０のうち下側の横部材４０と接続される。
【００２５】
縦部材１０の下端部１０ｂは、床面ＦＬに達するように配置してもよいし、床面ＦＬに達しないように配置してもよい。なお、下端部１０ｂを幅木（図示せず）よりも上の位置に配置し、床面ＦＬに達しないようにすることで、縦部材１０及び下側の横部材４０を後ろ壁面ＢＷに固定する作業が行いやすくなる。
【００２６】
固定部材Ｂ１は、縦部材１０の複数箇所に設けられ、これによって後ろ壁面ＢＷに頑丈に固定される。なお、固定部材Ｂ１は接着剤であってもよい。接着剤によって固定する場合には、縦部材１０の裏面の広い範囲（例えば、裏面全面）に接着剤を塗布して、しっかりと固定することが望ましい。
【００２７】
支持部材２０は、後ろ壁面ＢＷから離れた位置で床受材５０に固定される。支持部材２０は、床受材５０から垂直方向に延在する例えば角型材（中空または中実）である。
【００２８】
本実施形態では、２本の支持部材２０が所定の間隔で平行に設けられている。２本の支持部材２０は、断面略Ｌ型の床受材５０に固定される。また、２本の支持部材２０は、床受材５０から離れた位置で第１連結部２１及び第２連結部２２によって連結されている。これにより、２本の支持部材２０は、その間隔を維持したまま床受材５０に頑丈に固定される。
【００２９】
支持部材２０の下端は、便器本体１００の側方から見てＬ字状に形成された床受材５０に固定されている。なお、この固定に際しては、図示しないボルト等の締結具を用いても良く、溶接によって固定しても良い。
【００３０】
連結部材３０は、水平方向に延在する。すなわち、連結部材３０は、後ろ壁面ＢＷに対して垂直な方向に延在して設けられる。連結部材３０の一端３０ａは縦部材１０に固定され、他端３０ｂは支持部材２０に固定される。特に、連結部材３０の一端３０ａは、便器本体１００の側方から見てＬ字状に形成された取付け板３１を介して縦部材１０に固定されている。なお、この固定に際しては、ボルト等の締結具を用いても良く、溶接によって固定しても良い。連結部材３０によって、支持部材２０は縦部材１０と一定の間隔でしっかりと連結される。
【００３１】
本実施形態では、２本の縦部材１０及び２本の支持部材２０に対応して２本の連結部材３０が設けられている。また、これら２本の連結部材３０の間の上方に形成される空間には、便器洗浄用の水槽としてのロータンク（不図示）が設置される。なお、支持部材２０と連結部材３０とを一体的に形成し、Ｌ字状の角型材として構成することによって、部品点数を少なくしてもよい。
【００３２】
横部材４０は、水平方向に延在する例えばＬ型の部材であり、縦部材１０を差し込むための四角状の差込部４１を有する。横部材４０には、例えば縦部材１０と同じ材料が用いられる。
【００３３】
横部材４０は、後ろ壁面ＢＷに固定部材Ｂ２によって固定される。固定部材Ｂ２としては、例えばボルト及びナットやビスが用いられる。固定部材Ｂ２は、横部材４０の複数箇所に設けられ、これによって後ろ壁面ＢＷに頑丈に固定される。なお、固定部材Ｂ２は接着剤であってもよい。接着剤によって固定する場合には、横部材４０の裏面の広い範囲（例えば、裏面全面）に接着剤を塗布して、しっかりと固定することが望ましい。
【００３４】
例えば、２本の縦部材１０が平行に設けられている場合、上側の横部材４０は２本の縦部材１０の上端部１０ａを連結するように取り付けられ、下側の横部材４０は、２本の縦部材１０の下端部１０ｂを連結するよう取り付けられる。図１に示す横部材４０は、後ろ壁面ＢＷの幅にわたって設けられているが、後ろ壁面ＢＷの幅よりも狭く設けられていてもよい。
【００３５】
なお、上側の横部材４０の差込部４１と、縦部材１０の上端部１０ａとは、ネジ（不図示）等によって固定される。同様に、下側の横部材４０の差込部４１と、縦部材１０の下端部１０ｂとは、ネジ（不図示）等によって固定される。
【００３６】
２本の縦部材１０及び２本の横部材４０が組み合わされて額縁状に後ろ壁面ＢＷにしっかりと固定されていることで、後ろ壁面ＢＷを十分に補強することができる。
【００３７】
床受材５０は、床面ＦＬ上にボルト等の固定部材（不図示）によって固定される断面Ｌ型の部材である。この床受材５０には、例えば鋼材が用いられる。この床受材５０は、支持部材２０の下端から後ろ壁面ＢＷに向かって後方に延びる態様で、床面ＦＬ上に固定される。
【００３８】
具体的には、床受材５０の下面５０ａが、床面ＦＬに固定されて床面ＦＬの部分的補強層をなす。一方、床受材５０の側面５０ｂは、支持部材２０の側面にボルト等の固定部材によって固定される。
【００３９】
なお、図１及び図２に示す床受材５０の下面５０ａは、支持部材２０の下端から下側の横部材４０に達するまで、後方に延びる形状に構成されている。一方、床受材５０の側面５０ｂは、側方から見て略Ｌ字状に構成されるとともに、縦部材１０の側面にもボルト等の固定部材によって固定されている。このような床受材５０によって、支持部材２０は縦部材１０と一定の間隔でしっかりと連結される。
【００４０】
便器本体１００は、支持部材２０の前方面に固定される。支持部材２０には例えば２本のボルト２５が取り付けられている。また、便器本体１００には孔ｈが設けられている。この孔ｈにボルト２５を通してナットで固定することで、便器本体１００を床面ＦＬから浮かせた状態で支持する。便器本体１００は、例えば２本のボルト２５及びナットで支持部材２０に固定されるとともに、便器本体１００の後方面の下部が第１連結部２１の部分Ｐに接触して、３点による支持によって固定される。
【００４１】
このような壁掛便器の取付構造では、後ろ壁面ＢＷに縦部材１０が固定部材Ｂ１によってしっかりと固定されているため、便器本体１００に加わった下向きの力が、支持部材２０及び連結部材３０を介して縦部材１０に前方向きの力として伝わった場合でも、後ろ壁面ＢＷの縦方向の変形を抑制することができる。
【００４２】
すなわち、縦部材１０は後ろ壁面ＢＷに垂直方向に固定されているため、後ろ壁面ＢＷの垂直方向に沿った強度を補っている。したがって、縦部材１０に前方向きに力が加わっても、後ろ壁面ＢＷの垂直方向に沿った広い範囲でその力を受けて、後ろ壁面ＢＷが縦方向に変形（反る）ことを抑制する。
【００４３】
また、このような壁掛便器の取付構造では、後ろ壁面ＢＷに横部材４０が固定部材Ｂ２によってしっかりと固定されているため、便器本体１００に加わった下向きの力が、支持部材２０、連結部材３０及び縦部材１０を介して横部材４０に前方向きの力として伝わった場合でも、後ろ壁面ＢＷの水平方向の変形を抑制することができる。
【００４４】
すなわち、横部材４０は後ろ壁面ＢＷに水平方向に固定されているため、後ろ壁面ＢＷの水平方向に沿った強度を補っている。したがって、横部材４０に前方向きに力が加わっても、後ろ壁面ＢＷの水平方向に沿った広い範囲でその力を受けて、後ろ壁面ＢＷが横方向に変形（反る）ことを抑制する。
【００４５】
また、このような壁掛便器の取付構造では、支持部材２０が床受材５０によって床面ＦＬに固定されている。そのため、便器本体１００に加わった下向きの力によって、支持部材２０に対する曲げモーメントが作用する場合に、床受材５０の下面５０ａが曲げモーメントを受けて力を分散する。これにより、支持部材２０及び連結部材３０を介して縦部材１０に伝わる前方向きの力が弱められ、後ろ壁面ＢＷの変形を抑制することができる。
【００４６】
また、床受材５０が支持部材２０と縦部材１０の両方に固定されている場合には、便器本体１００に下向きの力が加わったときでも、支持部材２０と縦部材１０との間隔を一定に保持することができ、両部材の剛性を向上させることができる。
【００４７】
以上のように、本実施形態に係る壁掛便器の取付構造では、縦部材１０による後ろ壁面ＢＷの補強に加え、横部材４０によっても後ろ壁面ＢＷを補強している。すなわち、本実施形態では、縦部材１０によって後ろ壁面ＢＷの垂直方向に沿った補強を行うとともに、横部材４０によって後ろ壁面ＢＷの水平方向に沿った補強を行い、後ろ壁面ＢＷの縦方向の変形及び横方向の変形を抑制する。
【００４８】
また、本実施形態に係る壁掛便器の取付構造では、支持部材２０及び床受材５０によって、縦部材１０に伝わる前方向きの力を弱めているため、後ろ壁面ＢＷの変形を抑制することができる。
【００４９】
また、本実施形態に係る壁掛便器の取付構造では、床受材５０を追加して取り付け可能とすることによって、簡易に便器本体１００及び各部材の危険な壊れ方を防止することができる。
【００５０】
例えば、木造住宅のように、コンクリート壁に比べて強度の低い壁であっても、また、壁の裏側に設けられる管柱の位置にかかわらず、壁掛け式の便器本体１００を頑丈に固定することができる。これにより、利用者が着座した際の便器本体１００の沈み込みを抑制して安心して利用してもらうことができるようになる。
【００５１】
図３は、本発明の一実施形態に係る壁掛便器の取付構造を例示する模式図である。図３（ａ）では正面図を、図３（ｂ）では上面図を、図３（ｃ）では側面図を示している。
【００５２】
図３（ａ）に示すように、本実施形態に係る壁掛便器の取付構造では、後ろ壁面ＢＷに向かってみたとき、連結部材３０及び支持部材２０の水平方向の位置は縦部材１０の水平方向の位置と合っている。
【００５３】
すなわち、後ろ壁面ＢＷに向かってみると、縦部材１０、連結部材３０及び支持部材２０は直線状に設けられる。このように設けることで、便器本体１００に加わる下向きの力が、支持部材２０及び連結部材３０を介して縦部材１０に直接伝わることになる。これにより、連結部材３０と縦部材１０との間で捩れの力が加わらず、便器本体１００の変位を効果的に抑制することができる。
【００５４】
また、図３（ａ）に示すように、２本の横部材４０は、連結部材３０を間にして上下に設けられている。連結部材３０には、支持部材２０に取り付けられた便器本体１００からの荷重や、ロータンク（不図示）からの荷重が加わる。この荷重は、連結部材３０から縦部材１０及び横部材４０を介して後ろ壁面ＢＷに前方向の力として伝わる。
【００５５】
本実施形態では、連結部材３０から後ろ壁面ＢＷ側に伝わる力を縦部材１０及び連結部材３０を間にして上下に配置された横部材４０によって広く分散させることができる。これにより、後ろ壁面ＢＷの縦方向及び横方向の変形を抑制する。したがって、本実施形態では、後ろ壁の構造によらず壁掛け式の便器本体１００をしっかりと固定できる。
【００５６】
また、図３（ｃ）に示すように、本実施形態に係る壁掛便器の取付構造では、側方から見てＬ字状の床受材５０が、支持部材２０の下端から下側の横部材４０に達するまでの位置において床面ＦＬ上に取り付けられている。
【００５７】
そのため、便器本体１００に加わった下向きの力によって、支持部材２０に対する曲げモーメントが作用する場合に、床受材５０が曲げモーメントを受けて力を分散する。これにより、支持部材２０及び連結部材３０を介して縦部材１０に伝わる前方向きの力が弱められ、後ろ壁面ＢＷの変形を抑制することができる。
【００５８】
［壁掛便器］
図４は、本発明の一実施形態に係る壁掛便器の取付構造を適用した壁掛便器を例示する模式的斜視図である。
【００５９】
図４に示すように、本実施形態に係る壁掛便器の取付構造を適用した壁掛便器１１０は、便器本体１００と、縦部材１０と、支持部材２０と、連結部材３０と、横部材４０と、を備える。
【００６０】
縦部材１０、支持部材２０、連結部材３０及び横部材４０は、後ろ壁面ＢＷと便器本体１００との間に設けられるキャビネット３００の内側に配置される。連結部材３０の上に搭載されるロータンク（不図示）は、キャビネット３００の内側に収納される。
【００６１】
なお、図４に示す壁掛便器１１０では、横部材４０の上面をキャビネット３００の天板３０１を支える部材としても利用することができる。また、横部材４０の長さを短くすると（例えば、２本の縦部材１０の間隔と同等の長さ）、キャビネット３００の扉３０５を開ける際に横部材４０が見えることを防止することができる。また、縦部材１０が連結部材３０よりも下方に延びているが、縦部材１０はキャビネット３００によって隠すことができるため、見た目を損なうことはない。
【００６２】
このような壁掛便器１１０では、便器本体１００に加わった下向きの力が、支持部材２０及び連結部材３０を介して縦部材１０及び横部材４０に対して前方向きの力として伝わった際に、後ろ壁面ＢＷの縦方向及び横方向の変形を抑制する。また、便器本体１００に加わった下向きの力によって、支持部材２０に対する曲げモーメントが作用する場合に、床受材５０が曲げモーメントを受けて力を分散する。
【００６３】
これにより、支持部材２０及び連結部材３０を介して縦部材１０に伝わる前方向きの力が弱められ、着座した際の便器本体１００の沈み込みが抑制され、安定感の高い壁掛便器を提供することができるようになる。
【００６４】
なお、図４に示す例では、２本の横部材４０が設けられているが、１本の横部材４０でもよいし、３本以上の横部材４０を設けてもよい。例えば、１本の横部材４０を設ける場合には、縦部材１０の上端部１０ａよりも下側で連結部材３０よりも上側の中間部分等に設けることができる。また例えば、３本の横部材４０を設ける場合には、縦部材１０の上端部１０ａ及び下端部１０ｂにそれぞれ横部材４０を設けるとともに、連結部材３０の一端３０ａに接続するように横部材４０を設けることができる。
【００６５】
以上説明したように、本実施形態に係る壁掛便器の取付構造及び壁掛便器によれば、便器本体１００に下向きに力が加わった場合の便器先端の変位を十分に抑制することができる。これにより、壁掛け型の便器において着座した際の安心感の高い製品を提供することが可能になる。
【００６６】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【００６７】
例えば、本実施形態において縦部材１０の延在する垂直方向とは、床面ＦＬに対してほぼ垂直な方向を含む。また、横部材４０の延在する水平方向とは、床面ＦＬに対してほぼ平行な方向を含む。
【００６８】
また、本実施形態では、２本の縦部材１０を用いる例を説明したが、３本以上の縦部材１０を用いてもよい。例えば、実施形態で説明した２本の縦部材１０の間に他の縦部材１０を設けたり、２本の縦部材１０よりも外側に他の縦部材１０を設けたりしてもよい。
【００６９】
また、縦部材１０、支持部材２０、連結部材３０、横部材４０は角型材に限定されず、Ｕ字型やＬ字型など他の断面形状の部材であっても適用可能である。
【００７０】
また、２本の縦部材１０及び２本の横部材４０の代わりに、平板状の平板部材を縦横複数箇所において固定部材Ｂ１によって後ろ壁面ＢＷに固定するとともに、この平板部材を連結部材３０に連結する形態にしてもよい。１つの平板部材を用いることで、２本の縦部材１０及び２本の横部材４０を設ける場合に比べて部品点数を少なくすることができる。
【００７１】
また、このような平板状の平板部材により、後ろ壁面ＢＷを縦、横及び斜めの方向に補強することができる。これによって、後ろ壁面ＢＷの縦方向の変形及び横方向の変形を抑制するとともに、これらを複合した斜め方向の変形についても抑制することができる。したがって、後ろ壁の構造によらず壁掛け式の便器本体１００をしっかりと固定できる。
【００７２】
さらにまた、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０   縦部材
２０   支持部材
３０   連結部材
４０   横部材
５０   床受材
１００ 便器本体
１１０ 壁掛便器
ＢＷ   後ろ壁面
ＦＬ   床面  
【図１】
2014095246.tif 000003
【図２】
2014095246.tif 000004
【図３】
2014095246.tif 000005
【図４】
2014095246.tif 000006
【図５】
2014095246.tif 000007